【事件の表示】
　特願２００４−　１１２２５「弾球遊技機」拒絶査定不服審判事件〔平成１７年　８月　４日出願公開、特開２００５−２０４６８０〕について、次のとおり審決する。
【結　論】
　本件審判の請求は、成り立たない。
【理　由】
１．手続の経緯
　本願は、平成１６年１月１９日の出願であって、平成２２年４月９日付け（発送日：４月１３日）で拒絶査定がされ、これに対し、同年７月９日に拒絶査定不服審判が請求され、同日付けで手続補正がなされたものである。
　
　
２．平成２２年７月９日付けの手続補正についての補正却下の決定
［補正却下の決定の結論］
　平成２２年７月９日付けの手続補正を却下する。
　
［理由］
　（１）補正の内容
　平成２２年７月９日付けの手続補正（以下「本件補正」という。）により、特許請求の範囲は、
「【請求項１】
　発射された遊技球が遊技者からみて左側から入球される遊技領域が形成された遊技盤と、
　前記遊技領域における遊技球の流路を遊技者からみて左側流路と右側流路に分岐させるように配置された飾り部品と、
　抽選の結果を示すための複数列の図柄の組み合わせからなる装飾図柄が変動表示される図柄表示領域と、
　前記装飾図柄とは異なる態様で前記抽選の結果を示すための特別図柄が変動表示される特別図柄表示部と、
　前記遊技領域における前記飾り部品の下方に設けられた始動入賞口と、
　前記遊技領域における前記右側流路に設けられた第１の大入賞口と、
　前記遊技領域において少なくとも前記左側流路を流れる遊技球が入球可能な位置であって前記第１の大入賞口よりも左側に設けられた第２の大入賞口と、
　当該遊技機の全体的な動作および遊技の基本動作を主に制御する第１のＣＰＵを含むメイン制御部と、
　当該遊技機の演出的動作を主に制御する第２のＣＰＵを含むサブ制御部と、
　を備え、
　前記メイン制御部と前記サブ制御部との間の通信が、前記メイン制御部から前記サブ制御部への一方向通信となるように構成され、
　前記遊技領域の中央領域に前記装飾図柄が変動表示される一方、前記特別図柄が前記装飾図柄とは異なる位置で変動表示され、
　前記メイン制御部は、
　遊技球の前記始動入賞口への落入を示す始動入賞情報を取得する始動入賞処理部と、
　前記始動入賞情報の取得を契機として前記抽選を実行し、その抽選の結果が大当たり又は外れのいずれであるか、さらに大当たりである場合には次に大当たりとなる確率が通常よりも高い状態である確率変動状態へ移行する確率変動付き大当たり又は通常の大当たりのいずれであるかを判定する当否決定部と、前記抽選の結果に応じて前記特別図柄の停止図柄を決定する特別図柄決定部と、前記特別図柄の変動時間を規定する前記特別図柄の表示パターンを決定する特別図柄パターン決定部とを有する抽選実行部と、
前記特別図柄パターン決定部により決定された表示パターンにしたがって前記特別図柄を変動表示させるとともに、前記特別図柄決定部により決定された停止図柄を停止表示させる特別図柄表示処理部と、
　前記抽選の結果が大当たりであったときに前記第１の大入賞口または前記第２の大入賞口を選択的に開放する開閉制御部と、
を含み、前記抽選実行部により決定された情報をサブ制御部に送り、
　前記特別図柄表示処理部は、前記特別図柄の変動開始時に前記サブ制御部に変動開始指示を送る一方、前記特別図柄の変動停止時に前記サブ制御部に変動停止指示を送り、
　前記サブ制御部は、
　前記メイン制御部から受信した前記抽選の結果に基づき、前記抽選による当否結果および前記特別図柄の停止図柄に予め対応づけられた前記装飾図柄の停止図柄として決定する装飾図柄決定部と、
前記特別図柄の表示パターンに予め対応づけられた前記装飾図柄の表示パターンを決定する装飾図柄パターン決定部と、
前記装飾図柄パターン決定部により決定された表示パターンにしたがって前記装飾図柄を変動表示させるとともに、前記装飾図柄決定部により決定された停止図柄を停止表示させる装飾図柄表示処理部とを含み、
　前記装飾図柄決定部は、前記確率変動付き大当たり、前記通常の大当たり、および外れのそれぞれの結果について、前記装飾図柄の停止図柄を構成する複数列の図柄の組み合わせを複数種類選択対象として保持し、前記メイン制御部から受信された前記抽選の結果および前記特別図柄の停止図柄を示す情報に基づき、前記装飾図柄の停止図柄を構成する複数種類の図柄の組み合わせから一つを選択し、
　前記装飾図柄表示処理部は、前記メイン制御部から前記変動開始指示を受信したときに前記装飾図柄の変動表示を開始し、前記メイン制御部から前記変動停止指示を受信したときに前記装飾図柄の停止図柄を表示させることで、１回の抽選の結果を示す表示処理を終了し、
　前記開閉制御部は、前記確率変動付き大当たりである場合には、前記第１の大入賞口を開放することを特徴とする弾球遊技機。
【請求項２】
　前記図柄表示領域内に前記特別図柄および前記装飾図柄の双方が変動表示されるとともに、前記特別図柄が前記装飾図柄の表示領域よりも隅の領域で変動表示されることを特徴とする請求項１に記載の弾球遊技機。」
　に補正された。
　
　本件補正は、補正前（平成２２年２月１７日付け手続補正は却下されたため、平成２１年７月３１日付け手続補正による補正）の請求項１において、
「左側」を「遊技者からみて左側」と変更し、
「左側流路」を「遊技者からみて左側流路」と変更し、
「抽選の結果を示すための図柄」を「抽選の結果を示すための複数の図柄の組み合わせからなる装飾図柄」と変更し、
「メイン制御部」を「第１のＣＰＵを含むメイン制御部」と変更し、
「サブ制御部」を「第１のＣＰＵを含むサブ制御部」と変更し、
そして、「前記装飾図柄とは異なる態様で前記抽選の結果を示すための特別図柄が変動表示される特別図柄表示部」および「前記遊技領域の中央領域に前記装飾図柄が変動表示される一方、前記特別図柄が前記装飾図柄とは異なる位置で変動表示され」という事項を付加し、
メイン制御部について「当否決定部と、前記抽選の結果に応じて前記特別図柄の停止図柄を決定する特別図柄決定部と、前記特別図柄の変動時間を規定する前記特別図柄の表示パターンを決定する特別図柄パターン決定部とを有する抽選実行部と、前記特別図柄パターン決定部により決定された表示パターンにしたがって前記特別図柄を変動表示させるとともに、前記特別図柄決定部により決定された停止図柄を停止表示させる特別図柄表示処理部」という事項、および「前記特別図柄表示処理部は、前記特別図柄の変動開始時に前記サブ制御部に変動開始指示を送る一方、前記特別図柄の変動停止時に前記サブ制御部に変動停止指示を送り」という事項を付加し、
さらに、サブ制御部における「前記メイン制御部から受信した前記抽選の結果に基づき、前記図柄の停止図柄として前記確率変動付き大当たりであることを示す停止図柄、前記通常の当たりであることを示す停止図柄、又は前記外れであることを示す停止図柄のいずれかを決定する図柄決定部と、前記抽選実行部により決定された変動時間を有するように、前記図柄の変動表示過程を示す表示パターンを決定するパターン決定部と、前記パターン決定部により決定された表示パターンにしたがって前記図柄を変動表示させるとともに、前記図柄決定部により決定された停止図柄を停止表示させる表示処理部と、を含み」という事項を「前記メイン制御部から受信した前記抽選の結果に基づき、前記抽選による当否結果および前記特別図柄の停止図柄に予め対応づけられた前記装飾図柄の停止図柄として決定する装飾図柄決定部と、前記特別図柄の表示パターンに予め対応づけられた前記装飾図柄の表示パターンを決定する装飾図柄パターン決定部と、前記装飾図柄パターン決定部により決定された表示パターンにしたがって前記装飾図柄を変動表示させるとともに、前記装飾図柄決定部により決定された停止図柄を停止表示させる装飾図柄表示処理部とを含み、前記装飾図柄決定部は、前記確率変動付き大当たり、前記通常の大当たり、および外れのそれぞれの結果について、前記装飾図柄の停止図柄を構成する複数列の図柄の組み合わせを複数種類選択対象として保持し、前記メイン制御部から受信された前記抽選の結果および前記特別図柄の停止図柄を示す情報に基づき、前記装飾図柄の停止図柄を構成する複数種類の図柄の組み合わせから一つを選択し、前記装飾図柄表示処理部は、前記メイン制御部から前記変動開始指示を受信したときに前記装飾図柄の変動表示を開始し、前記メイン制御部から前記変動停止指示を受信したときに前記装飾図柄の停止図柄を表示させることで、１回の抽選の結果を示す表示処理を終了し」と変更し、
　そして、請求項２を削除し、
　請求項３を請求項２に変更して、引用請求項を変更したものであって、補正全体をみれば、本件補正は請求項の削除、特許請求の範囲の減縮、明りょうでない記載の釈明のいずれかを目的とした補正に該当すると認めることができる。
　したがって、本件補正は、平成１８年法律第５５号改正附則第３条第１項によりなお従前の例によるとされる同法による改正前の特許法第１７条の２第４項の規定に違反しない。
　そこで、本件補正後の請求項１に記載された発明（以下、この発明を「本件補正発明」という。）が特許出願の際独立して特許を受けることができるものであるか否かについて以下検討する。
　
　（２）引用文献に記載された事項
　原査定の拒絶の理由において引用文献１として引用された特開２００３−２４５４２０号公報（以下、「引用例１」という。）には、図面とともに、以下の事項が記載されている。
　
（ア）「【０００６】
【課題を解決するための手段】本発明は、遊技者に有利な開状態と不利な閉状態とに変換可能な可変入賞手段２５Ｌ，２５Ｒと、始動手段２４が遊技球を検出することを条件に遊技図柄を変動表示する図柄表示手段３０と、該図柄表示手段３０の変動後の停止図柄が予め定められた大当たり態様となることに基づいて、前記可変入賞手段２５Ｌ，２５Ｒを閉状態から開状態に変化させる利益状態を１又は複数回発生させる利益状態発生手段５９とを備えた弾球遊技機において、複数の前記可変入賞手段２５Ｌ，２５Ｒを備え、前記１又は複数回の利益状態における前記複数の可変入賞手段２５Ｌ，２５Ｒの開放パターンを決定する開放パターン決定手段５８を備えたものである。
【０００７】
【発明の実施の形態】以下、本発明の実施形態を図面に基づいて詳述する。図１〜図７は本発明をパチンコ機として具現化した第１の実施形態を例示している。図１及び図２において、１は遊技機本体で、矩形状の外枠２と、この外枠２の前側に開閉自在に枢着された前枠３とを備えている。４はガラス扉、５は前面板で、これらは前枠３の窓孔６に対応して上下に配置され、前枠３に開閉自在に枢支されている。
【０００８】７は発射用の遊技球を貯留する上皿で、前面板５の前側に装着され、上皿カバー８により覆われている。また、９は余剰球等を貯留する下皿、１０は灰皿で、これらは前面板５の下側で前枠３の前側に左右に配置され、下皿カバー１１により覆われている。１２は遊技盤で、前枠３の窓孔６に対応するように、前枠３の裏側に着脱自在に装着されている。
【０００９】 １３は発射手段で、下皿９の一側で前枠３の前側に設けられた発射ハンドル１４と、前面板５の後方に配置された発射レール１５と、前枠３の裏側に配置された発射モータ１６及び打撃槌１７等を備え、発射ハンドル１４を操作したときに、発射モータ１６により打撃槌１７が作動して、前面板５の裏側に装着された図外の球送り手段により上皿７から発射レール１５上に１個ずつ供給される遊技球を遊技盤１２側に発射させるようになっている。
【００１０】遊技盤１２の前面側には、図２に示すように、発射手段１３により発射された遊技球を案内するガイドレール２１が略環状に装着されると共に、そのガイドレール２１の内側の遊技領域２２内には、センター手段２３、第２図柄始動手段２４、複数（ここでは２つ）の可変入賞手段２５Ｌ，２５Ｒ、第１図柄始動手段２６、普通入賞手段２７等の各種遊技部品が配置されている。
【００１１】センター手段２３は、遊技領域２２内の左右方向中央の上部側に配置され、その略中央部分に液晶式等の可変表示手段２８を、上部に普通入賞手段２７と第１図柄表示手段２９とを夫々備えている。可変表示手段２８は、第２図柄表示手段３０を構成している。」
（イ）「【００１５】第２図柄始動手段２４は、開閉自在な左右一対の開閉爪３２を備えた電動チューリップ等の開閉入賞手段により構成され、例えばセンター手段２３の下側に配置されており、第１図柄表示手段２９の変動後の停止図柄が予め定められた当たり態様を表示することを条件に発生する第１利益状態のときに開閉爪３２が所定時間開放するようになっている。
【００１６】第２図柄表示手段３０は、１個又は複数個、例えば左右方向に３個の第２図柄（遊技図柄）を可変表示手段２８の例えば上下方向略中央部分に変動表示可能となっている。各第２図柄は、第２図柄始動手段２４が遊技球を検出することを条件に上下方向又は左右方向にスクロールする等、所定の変動パターンで変動して、所定の大当たり態様又は外れ態様となるように左、右、中等の所定の順序で停止する。
【００１７】第２図柄には、数字図柄、アルファベット図柄、キャラクター図柄、その他の図柄を使用可能であり、本実施形態では「０」〜「９」までの１０種類の数字図柄が使用されている。本実施形態では、３つの第２図柄が同一となる図柄態様、即ち「０・０・０」「１・１・１」…「９・９・９」の１０種類を大当たり態様とする。
【００１８】更に、大当たり態様には特別大当たり態様とそれ以外の通常大当たり態様とがあり、本実施形態では、１０種類の大当たり態様のうち、「１・１・１」「７・７・７」等、奇数図柄よりなる５種類の大当たり態様を特別大当たり態様、「２・２・２」「８・８・８」等、偶数図柄よりなる５種類の大当たり態様を通常大当たり態様とする。
【００１９】第２図柄の変動パターンには、例えばリーチ状態を経由しないで外れ態様となるリーチなし外れ変動パターン、リーチ状態を経由して外れ態様となるリーチ外れ変動パターン、リーチ状態を経由して大当たり態様となるリーチ大当たり変動パターンなど、多種類のものが用意されている。」
（ウ）「【００２１】可変入賞手段２５Ｌ，２５Ｒは、いわゆるアタッカーを構成するもので、夫々例えば下部側の横軸廻りに開閉自在な開閉板３３を備え、遊技者に有利な開状態と不利な閉状態とに変換可能に構成されている。
【００２２】これら２つの可変入賞手段２５Ｌ，２５Ｒは、例えば遊技領域２２の下部側に左右に配置されており、図示しない遊技釘の配置等により、遊技領域２２の左側に打ち込まれた遊技球は左側の可変入賞手段２５Ｌに、遊技領域２２の右側に打ち込まれた遊技球は右側の可変入賞手段２５Ｒに、夫々高い確率で誘導されるようになっている。」
（エ）「【００２４】可変入賞手段２５Ｌ，２５Ｒは、第２図柄表示手段３０の変動後の停止図柄が予め定められた所定の大当たり態様を表示することを条件に、その何れか一方の開閉板３３が、所定の上限開放時間が経過するか又はその上限開放時間内に所定の上限入賞個数の遊技球が入賞するまで開放され（第２利益状態）、その開放中に入賞した遊技球１個につき所定の払い出し個数分の賞球が払い出されるようになっている。」
（オ）「【００２８】第２利益状態の各ラウンドにおいて夫々可変入賞手段２５Ｌ，２５Ｒのどちらを開放するかを規定する開放パターンは、例えば図３に示すように予め複数種類用意されており、可変入賞手段２５Ｌ，２５Ｒは、それら複数種類の開放パターンＡ〜Ｈ等のうちの何れかに従って開閉制御されるようになっている。
【００２９】例えば、図３に示す開放パターンＡは第２利益状態の第１ラウンドから第１６ラウンドまで可変入賞手段２５Ｌ側から始まって左右交互に開放され、同様に開放パターンＢは可変入賞手段２５Ｒから始まって左右交互に開放され、開放パターンＣは可変入賞手段２５Ｌから始まって２ラウンドずつ左右交互に開放され、開放パターンＥは前半の第１ラウンドから第８ラウンドまでは可変入賞手段２５Ｌが、後半の第９ラウンドから第１６ラウンドまでは可変入賞手段２５Ｒが夫々開放され、開放パターンＨは全てのラウンドにおいて可変入賞手段２５Ｒが開放されるように設定されている。」
（カ）「【００３２】図４は制御用のブロック図である。図４において、４１は主制御基板、４２は音声ランプ制御基板、４３は図柄制御基板で、それら各制御基板４１，４２，４３は、夫々遊技領域２２に装着されたセンター手段２３、その他の複数個の遊技部品を裏側から一括して覆う裏カバーの裏側等、前枠３及び遊技盤１２を含む遊技機本体１の裏側の適宜箇所に着脱自在に装着された基板ケースに収納されている。
【００３３】なお、主制御基板４１から音声ランプ制御基板４２に対しては一方向通信可能であり、音声ランプ制御基板４２と図柄制御基板４３間では双方向通信可能となっている。これにより、主制御基板４１から図柄制御基板４３へのコマンドは音声ランプ制御基板４２を経由して送信される。
【００３４】主制御基板４１は、主として遊技盤１２側の遊技動作等の制御を行うためのもので、第１抽選手段５１、第１判定手段５２、第１利益状態発生手段５３、第２抽選手段５４、第２判定手段５５、停止図柄態様選択手段５６、変動パターン選択手段５７、開放パターン決定手段５８、第２利益状態発生手段５９、特別遊技状態発生手段６０、制御コマンド送信手段６１等を備え、ＣＰＵ、ＲＯＭ、ＲＡＭ等の電子部品により構成されている。」
（キ）「【００３９】第２判定手段５５は、第２抽選手段５４での抽選乱数値に基づいて変動後の第２図柄を大当たり態様とするか否か、即ち可変入賞手段２５Ｌ，２５Ｒを開状態にする第２利益状態を発生させるか否かを判定するためのもので、第２抽選手段５４で抽選された乱数値が所定の大当たり態様判定値と一致するか否かを判定し、一致する場合には大当たり態様の判定結果を出力するようになっている。
【００４０】停止図柄態様選択手段５６は、第２判定手段５５の判定結果に基づいて、第２図柄表示手段３０の変動後の停止図柄態様を選択するためのもので、第２判定手段５５の判定結果が大当たり態様判定のときに複数種類の大当たり態様の中から１つを、外れ態様判定のときに複数種類の外れ態様の中から１つを、夫々乱数抽選により選択するようになっている。なお、外れ態様のときには、３つの第２図柄のうち、少なくとも１個が異なる図柄となる。
【００４１】変動パターン選択手段５７は、第２判定手段５５の判定結果と、停止図柄態様選択手段５６との少なくとも一方に基づいて、複数種類の変動パターンの中から１つを乱数抽選により択一的に選択するためのもので、例えば、第２判定手段５５の判定結果が大当たり態様判定のときに、変動後の第２図柄が大当たり態様となる可能性のある複数種類のリーチ大当たり変動パターンの何れかを、外れ態様判定のときに、変動後の第２図柄が外れ態様となるリーチなし外れ変動パターン、リーチ外れ変動パターン等の何れかを、夫々乱数抽選により選択するようになっている。」
（ク）「【００４６】第２利益状態発生手段５９は、第２判定手段５５の判定結果が大当たり態様判定となり、第２図柄表示手段３０の変動後の停止図柄が大当たり態様となったとき、開放パターン決定手段５８で決定された開放パターンＡ〜Ｈの何れかに基づいて可変入賞手段２５Ｌ，２５Ｒを開放して、遊技者に有利な第２利益状態を発生させるようになっている。
【００４７】可変入賞手段２５Ｌ，２５Ｒは、第２利益状態中に開放パターンＡ〜Ｈに従ってその何れか一方のみが開放され、所定の上限開放時間が経過するか又はその上限開放時間内に所定の上限入賞個数の遊技球が入賞したときに閉鎖されて、入賞した遊技球１個につき所定の払い出し個数分の賞球が払い出される。
【００４８】また、第２利益状態発生手段５９は、第２利益状態中に所定条件が成立することに基づいて次の利益状態を発生させる利益状態継続手段６４を備えており、第２利益状態中にその開放中の可変入賞手段２５Ｌ又は２５Ｒに入賞した遊技球が内部の特定領域３４を通過すれば、その第２利益状態が所定の上限ラウンド数（例えば１６ラウンド）を限度として継続されるようになっている。
【００４９】特別遊技状態発生手段６０は、第２利益状態の終了後に、通常遊技状態とは異なる遊技者に有利な特別遊技状態を発生させるためのもので、確率変化手段６５により構成されている。確率変化手段６５は、第２判定手段５５の判定結果が大当たり態様判定となり、停止図柄態様選択手段５６が複数種類（１０種類）の大当たり態様のうちの特別大当たり態様を選択して、変動後の第２図柄が特別大当たり態様（例えば「７・７・７」）となることを条件に、第２利益状態の終了後に、第２図柄が大当たり態様となる確率を通常確率（例えば１／３００の低確率）から高確率（例えば１／６０程度）へと変化させるためのものである。
【００５０】なお、確率変化手段６５は、高確率状態のときに第２判定手段５５の大当たり態様判定値の数を増やして、その大当たり態様の発生確率を高くするようになっている。」
（ケ）「【００５２】制御コマンド送信手段６１は、所定の制御コマンドを一方向通信により音声ランプ制御基板４２，図柄制御基板４３等の副制御基板側へと送信するためのもので、第１図柄始動手段２６が遊技球を検出したときに、第１判定手段５２の判定結果に基づいて第１図柄の変動制御コマンドを図柄制御基板４３側に送信する機能、第２図柄始動手段２４が遊技球を検出したときに、停止図柄態様選択手段５６で選択された停止図柄態様、変動パターン選択手段５７で選択された変動パターン等に基づいて第２図柄の変動制御コマンドを図柄制御基板４３側に送信する機能、第２利益状態発生手段５９の作動に基づいて第２利益状態の開始コマンドを音声ランプ制御基板４２側に送信する機能、開放パターン決定手段５８で決定された開放パターン等に基づいて可変入賞手段２５Ｌ，２５Ｒの開放報知コマンドを音声ランプ制御基板４２側に送信する機能等を有している。」
（コ）「【００５８】図柄制御基板４３は、第１図柄表示手段２９及び第２図柄表示手段３０の表示制御を行うためのもので、第１図柄制御手段７３、第２図柄制御手段７４等を備え、ＣＰＵ、ＲＯＭ、ＲＡＭ等の電子部品により構成されている。」
（サ）「【００６０】第２図柄制御手段７４は、第２図柄表示手段３０の表示制御を行うもので、第２図柄始動手段２４が遊技球を検出することを条件に、変動パターン選択手段５７で選択された変動パターンに従って第２図柄表示手段３０の第２図柄を所定時間変動させて、停止図柄態様選択手段５６で選択された停止図柄態様で停止させるようになっている。」
（シ）「【００６８】図柄制御基板４３側では、制御コマンド送信手段６１から変動制御コマンドを受信すると、第２図柄制御手段７４が第２図柄表示手段３０の第２図柄を変動パターン選択手段５７で選択された変動パターンに従って所定時間変動させた後、停止図柄態様選択手段５６で選択された大当たり態様又は外れ態様で停止させる。
【００６９】そして、第２図柄表示手段３０の変動後の停止図柄が大当たり態様で確定すると、第２利益状態の開始コマンドが音声ランプ制御基板４２側に送信されると共に、第２利益状態発生手段５９が、開放パターン選択手段６３で選択された開放パターンＡ〜Ｈの何れかに従って第２利益状態を発生させる。
【００７０】即ち、まず開放パターンの１ラウンド目に指定されている側の可変入賞手段２５Ｌ又は２５Ｒが開放される。そして、開放された可変入賞手段２５Ｌ又は２５Ｒは、その開放から所定の上限開放時間が経過するか又はその上限開放時間内に所定の上限入賞個数の遊技球が入賞したときに閉鎖され、入賞した遊技球１個につき所定の払い出し個数分の賞球が払い出される。
【００７１】そして、その開放中（第２利益状態中）に可変入賞手段２５Ｌ又は２５Ｒに入賞した遊技球が内部の特定領域３４を通過した場合には、続いて開放パターンの２ラウンド目に指定されている側の可変入賞手段２５Ｌ又は２５Ｒが開放される。この第２利益状態は所定の上限ラウンド数（例えば１６ラウンド）を限度として繰り返される。」
（ス）「【００９０】第２図柄表示手段３０の変動後の停止図柄が大当たり態様のうちの特別大当たり態様となった場合には、第２利益状態の終了後、特別遊技状態発生手段６０の確率変化手段６５が作動して特別遊技状態が発生し、大当たり態様の発生確率を通常確率から高確率へと変化させる。その後は、第２判定手段５５が高確率状態で大当たり態様とするか否かを判定するため、変動後の第２図柄が再度大当たり態様となる可能性が非常に高くなり、遊技者は有利な状態でゲームを行える。
【００９１】この特別遊技状態は、変動後の第２図柄が通常大当たり態様となって次の第２利益状態が発生するか、それまでに第２図柄が予め定められた所定回数変動した場合に終了し、大当たり態様の発生確率が高確率から通常確率へと復帰する。」
　
　上記（ア）ないし（ス）の記載、および図面を総合すると、引用例１には、以下の発明が開示されていると認めることができる。
　
「Ａ．遊技盤１２の遊技領域２２の中央部には、第２図柄表示手段３０を備えたセンター手段２３が設けられている。そしてセンター部材２３の下方には第２図柄始動手段２４が設けられ、センター手段２３により左右に分けられた遊技球の通路においてセンター手段２３の下方右側通路中に可変入賞手段２５Ｒが、下方左側通路中に可変入賞装置２５Ｌが設けられている。（第２図参照）
　Ｂ．遊技機の制御手段として、主として遊技動作等の制御を行う主制御基板４１と、該主制御基板４１からの制御コマンドを一方向通信により受信して第２図柄表示手段の表示制御を行う図柄制御基板４３を備えており、主制御基板４１および図柄制御基板４３は、それぞれＣＰＵ，ＲＯＭ，ＲＡＭ等で構成されている。（図４参照）
　Ｃ．主制御基板４１は、第２図柄始動手段２４が遊技球を検出すると、第２抽選手段５４により抽選された乱数値に基づいて、第２判定手段５５が変動後の第２図柄を大当たり態様にするか、外れ態様にするか、あるいは大当たり態様のうち特別大当たり態様（確率変動状態）にするかを決定し、そして、第２判定手段５５の判定結果に基づいて、停止図柄態様選択手段５６が第２図柄始動手段２４の停止図柄を選択し、さらに、変動パターン選択手段５７が変動パターンを選択する。
　Ｄ．主制御基板４１で選択された変動パターン、停止図柄態様等（変動制御コマンド）を一方向通信により図柄制御基板４３に送信し、図柄制御基板４３は、前記コマンドに対応する変動パターンで第２図柄表示手段３０の表示図柄を変動させ、そして対応する停止図柄態様で停止させる。
　Ｅ．主制御基板４１の第２判定手段が変動後の第２図柄を大当たり態様にすることを決定し、第２図柄表示手段３０に大当たりに対応する特定の図柄が停止表示された場合、複数の開放パターンの中から可変入賞手段２５Ｒと２５Ｌ可変入賞手段の開放パターンが抽選により選択され、２５Ｒあるいは２５Ｌのいずれかが選択的に開放するように制御される。
　Ｆ．前記複数の開放パターンの中には、可変入賞手段２５Ｒあるいは可変入賞手段２５Ｌのみが開放される態様を含んでいる。」
（以下、この発明を「引用発明１」という。）
　
　また、原査定の拒絶の理由において引用文献２として引用された特開２００４−４７２号公報（以下、「引用例２」という。）には、図面とともに、以下の事項が記載されている。
　
（セ）「【００７２】
　図１２は、第２実施例におけるパチンコ機１００の遊技盤１の正面図である。このパチンコ機１００は、第１実施例のパチンコ機Ｐに対し、始動口４の下方に設けられた大入賞口１０１が上下方向に幅広に形成されると共に、その大入賞口１０１を開閉させる大入賞口開閉板１０２，１０３が１枚余計に設けられることにより、２枚の大入賞口開閉板１０２，１０３が上下に並んで配設されている。この２枚の大入賞口開閉板１０２，１０３は、付与される大当たりの種類に応じていずれか一方の大入賞口開閉板１０２，１０３が選択的に開放されるように構成されている。
【００７３】
　具体的には、パチンコ機１００において遊技者に付与され得る大当たりには、普通大当たりと、確率変動大当たりとの２種が定められており、普通大当たりの発生時には、下側の大入賞口開閉板（第２大入賞口開閉板）１０３が開閉して特別遊技状態による遊技価値が付与される。この普通大当たりが発生すると、特別遊技状態の終了後、通常の遊技状態に遷移する。この普通大当たりは、当否演出としてＬＣＤ３による変動表示演出が実行される場合に変動後の表示結果として普通変動図柄（偶数の数字で表示される図柄）が３つ並んで停止したときに発生し、又、当否演出として大入賞口演出が実行される場合には、第２大入賞口開閉板１０３が振動した後に開放して静止した場合に発生する。
【００７４】
　一方、確率変動大当たりが発生する場合には、上側の大入賞口開閉板（第１大入賞口開閉板）１０２が開閉して特別遊技状態による遊技価値が付与される。この確率変動大当たりが発生すると、特別遊技状態の終了後、大当たりの発生確率が通常時の５倍とされる確率変動状態に遷移する。この確率変動大当たりは、当否演出としてＬＣＤ３による変動表示演出が実行される場合に変動後の表示結果として確率変動図柄（本実施例では、奇数の数字で表示される図柄）が３つ並んで停止したときに発生し、又、当否演出として大入賞口演出が実行される場合には第１大入賞口開閉板１０２が振動した後に開放して静止した場合に発生する。」
　
　上記（セ）の記載、および図面を総合すると、引用例２には、
「Ａ．大当たり時に開放される大入賞口１０１は、上下方向に別々に設けられた上側の大入賞口開閉板１０２および下側の大入賞口開閉板１０３を備えている。
　Ｂ．普通大当たりの発生時には、下側の大入賞口開閉板１０３が開閉して特別遊技状態による遊技価値が付与され、また確率変動大当たりが発生する場合には、上側の大入賞口開閉板１０２が開閉して特別遊技状態による遊技価値が付与される。」
　の発明が開示されていると認めることができる。
（以下、この発明を「引用発明２」という。）
　
　（３）対比
　引用発明１の「センター手段２３」、「第２図柄始動手段２４」、「可変入賞手段２５Ｒ」、「可変入賞手段２５Ｌ」は、それぞれ本件補正発明の「飾り部品」、「始動入賞口」、「第１の大入賞口」、「第２の大入賞口」に相当する。
　引用発明１の「第２図柄表示手段３０」およびその「表示図柄」は、抽選により決定された大当たり態様ないし外れ態様を示すための変動表示部および表示図柄であるから、それぞれ本件補正発明の「抽選の結果を示すための特別図柄が変動表示される特別図柄表示部」および「特別図柄」に相当する。
　したがって、引用発明１は、「発射された遊技球が遊技者からみて左側から入球される遊技領域が形成された遊技盤と、前記遊技領域における遊技球の流路を遊技者からみて左側流路と右側流路に分岐させるように配置された飾り部品と、抽選の結果を示すための特別図柄が変動表示される特別図柄表示部と、前記遊技領域における前記飾り部品の下方に設けられた始動入賞口と、前記遊技領域における前記右側流路に設けられた第１の大入賞口と、前記遊技領域において少なくとも前記左側流路を流れる遊技球が入球可能な位置であって前記第１の大入賞口よりも左側に設けられた第２の大入賞口」を備えている点で本件補正発明と一致している。
　引用発明１の主制御基板４１および図柄制御基板４３は、それぞれ別のＣＰＵを備えており、主制御基板４１では、第２図柄始動手段２４が遊技球を検出すると、抽選された乱数値に基づいて大当たり、外れあるいは確率変動大当たりを決定し、停止図柄態様選択手段５６が第２図柄始動手段２４の停止図柄を選択し、変動パターン選択手段５７が変動パターンを選択し、当該変動パターンおよび停止図柄は、一方向通信により図柄制御基板４３に送信され、第２図柄表示手段３０で図柄の変動表示ないし停止表示がなされる。
　したがって、引用発明１は、「当該遊技機の全体的な動作および遊技の基本動作を主に制御する第１のＣＰＵを含むメイン制御部と、当該遊技機の演出的動作を主に制御する第２のＣＰＵを含むサブ制御部と、を備え、前記メイン制御部と前記サブ制御部との間の通信が、前記メイン制御部から前記サブ制御部への一方向通信となるように構成され、前記特別図柄が変動表示され、前記メイン制御部は、遊技球の前記始動入賞口への落入を示す始動入賞情報を取得する始動入賞処理部と、前記始動入賞情報の取得を契機として前記抽選を実行し、その抽選の結果が大当たり又は外れのいずれであるか、さらに大当たりである場合には次に大当たりとなる確率が通常よりも高い状態である確率変動状態へ移行する確率変動付き大当たり又は通常の大当たりのいずれであるかを判定する当否決定部と、前記抽選の結果に応じて前記特別図柄の停止図柄を決定する特別図柄決定部と、前記特別図柄の変動時間を規定する前記特別図柄の表示パターンを決定する特別図柄パターン決定部とを有する抽選実行部と、前記特別図柄パターン決定部により決定された表示パターンにしたがって前記特別図柄を変動表示させるとともに、前記特別図柄決定部により決定された停止図柄を停止表示させる特別図柄表示処理部」を備えている点で、本件補正発明と共通している。
　そして、引用発明１は、第２判定手段５５により大当たりと判定された場合は、可変入賞手段２５Ｒと可変入賞手段２５Ｌのいずれかが選択的に開放するように制御され、また可変入賞手段２５Ｒのみが開放される開放態様もあるので、引用発明１は、「前記抽選の結果が大当たりであったときに前記第１の大入賞口または前記第２の大入賞口を選択的に開放する開閉制御部」を備え、「前記開閉制御部は、大当たりである場合には、第１の大入賞口を開放する」点で、本件補正発明と共通している。
　
　以上のことから、本件補正発明と引用発明１とは、
　＜一致点＞
「発射された遊技球が遊技者からみて左側から入球される遊技領域が形成された遊技盤と、
　前記遊技領域における遊技球の流路を遊技者からみて左側流路と右側流路に分岐させるように配置された飾り部品と、
　前記抽選の結果を示すための特別図柄が変動表示される特別図柄表示部と、
　前記遊技領域における前記飾り部品の下方に設けられた始動入賞口と、
　前記遊技領域における前記右側流路に設けられた第１の大入賞口と、
　前記遊技領域において少なくとも前記左側流路を流れる遊技球が入球可能な位置であって前記第１の大入賞口よりも左側に設けられた第２の大入賞口と、
　当該遊技機の全体的な動作および遊技の基本動作を主に制御する第１のＣＰＵを含むメイン制御部と、
　当該遊技機の演出的動作を主に制御する第２のＣＰＵを含むサブ制御部と、
　を備え、
　前記メイン制御部と前記サブ制御部との間の通信が、前記メイン制御部から前記サブ制御部への一方向通信となるように構成され、
　前記特別図柄が変動表示され、
　前記メイン制御部は、
　遊技球の前記始動入賞口への落入を示す始動入賞情報を取得する始動入賞処理部と、
　前記始動入賞情報の取得を契機として前記抽選を実行し、その抽選の結果が大当たり又は外れのいずれであるか、さらに大当たりである場合には次に大当たりとなる確率が通常よりも高い状態である確率変動状態へ移行する確率変動付き大当たり又は通常の大当たりのいずれであるかを判定する当否決定部と、前記抽選の結果に応じて前記特別図柄の停止図柄を決定する特別図柄決定部と、前記特別図柄の変動時間を規定する前記特別図柄の表示パターンを決定する特別図柄パターン決定部とを有する抽選実行部と、
　前記特別図柄パターン決定部により決定された表示パターンにしたがって前記特別図柄を変動表示させるとともに、前記特別図柄決定部により決定された停止図柄を停止表示させる特別図柄表示処理部と、
　前記抽選の結果が大当たりであったときに前記第１の大入賞口または前記第２の大入賞口を選択的に開放する開閉制御部と、
を含み、
　前記開閉制御部は、大当たりである場合には、前記第１の大入賞口を開放することを特徴とする弾球遊技機。」
　である点で一致し、以下の点で相違している。
　
　＜相違点１＞
　本件補正発明は、「遊技領域の中央領域に装飾図柄が変動表示される図柄表示領域」を備えており、「特別図柄表示部」は「装飾図柄とは異なる位置（つまりは遊技領域の中央部ではない位置）」に表示されるものであり、そして前記図柄表示領域において「（特別図柄とは異なる態様で）抽選の結果を示すための複数列の図柄の組み合わせからなる装飾図柄が変動表示される」ものであるのに対し、
　引用発明１は、遊技領域の中央領域に特別図柄が変動表示する特別図柄表示部を備えたものであって、上記構成を備えていない点。
　
　＜相違点２＞
　本件補正発明は、「メイン制御部は、抽選実行部により決定された情報をサブ制御部へ送り、（メイン制御部の）特別図柄表示制御部は、特別図柄の変動開始時にサブ制御部に（装飾図柄の）変動開始指示を送る一方、特別図柄の変動停止時にサブ制御部に（装飾図柄の）変動停止指示を送り」そして「（サブ制御部の）装飾図柄表示処理部は、メイン制御部から変動開始指示を受信したときに装飾図柄の変動表示を開始し、メイン制御部から変動停止指示を受信したときに装飾図柄の停止図柄を表示させることで、１回の抽選の結果を示す表示処理を終了」するものであるのに対し、
　引用発明１は、上記構成を備えていない点。
　
　＜相違点３＞
　本件補正発明は、「サブ制御部は、メイン制御部から受信した抽選の結果に基づき、抽選による当否結果および特別図柄の停止図柄に予め対応づけられた装飾図柄の停止図柄として決定する装飾図柄決定部と、特別図柄の表示パターンに予め対応づけられた装飾図柄の表示パターンを決定する装飾図柄パターン決定部と、装飾図柄パターン決定部により決定された表示パターンにしたがって装飾図柄を変動表示させるとともに、装飾図柄決定部により決定された停止図柄を停止表示させる装飾図柄表示処理部とを含み、装飾図柄決定部は、確率変動付き大当たり、通常の大当たり、および外れのそれぞれの結果について、装飾図柄の停止図柄を構成する複数列の図柄の組み合わせを複数種類選択対象として保持し、メイン制御部から受信された抽選の結果および特別図柄の停止図柄を示す情報に基づき、装飾図柄の停止図柄を構成する複数種類の図柄の組み合わせから一つを選択」するものであるのに対し、
　引用発明１は、上記構成を備えていない点。
　
　＜相違点４＞
　本件補正発明は、「確率変動付き大当たりである場合には、第１の大入賞口を開放する」（この事項の意味を「・・・場合には、第１の大入賞口を選択的に開放する」と解釈する。）ものであるのに対し、
　引用発明１は、大当たりである場合に、第１の大入賞口を開放する場合があるものの、「確率変動付き大当たりである場合」に第１の大入賞口を選択的に開放するものではない点。
　
　（４）判断
　＜相違点４＞について
　事案に鑑み、まず相違点４から検討する。
　引用発明１は、本件補正発明のように確変大当たりになった場合に第１の大入賞口を選択的に開放するようなものではない。
　しかしながら、引用発明２には、上下に大入賞口（上側の大入賞口開閉板１０２および下側の大入賞口開閉板１０３）が設けられたものにおいて、確率変動付き大当たりになった場合に開放する大入賞口を選択的に決定する（具体的には、上方の大入賞口を開放する）ものが開示されており、引用発明２から、複数の大入賞口を備えたものにおいて、確率変動付き大当たりになった場合に開放する大入賞口を選択的に決定するという技術思想を読み取ることができる。
　してみると、引用発明１において、確率変動付き大当たりになった場合に可変入賞手段２５Ｒ（第１の大入賞口）を選択的に開放する程度のことは、引用発明２から当業者が容易に想到できたと認められる。
　
　＜相違点１＞について
　抽選により決定された大当たりや外れを示すための特別図柄表示部に加えて、特別図柄の停止表示結果に関連した修飾図柄（演出図柄とも呼ばれる）を表示する修飾図柄表示部を設けること、そして、この修飾図柄表示部の方を遊技領域の中央部に設けて遊技演出を目立つように行い、そして本来遊技結果を報知する手段であった特別図柄表示部を遊技領域の他の部分に設けて、その部分で特別図柄による報知を行うことは、例えば、特開平９−１４０８７８号公報（審尋において示された引用文献２である。特に、段落【００２１】〜【００２５】、【００５０】、【００５３】〜【００５８】、および図１参照のこと。）に記載されているように周知な技術であるから、相違点１に係る事項は周知技術に基づいて当業者が容易に想到し得たと認められる。
　
　＜相違点２＞および＜相違点３＞について
　相違点２および相違点３は、修飾図柄を表示制御する手段として関連していると認められるので、両者をまとめて検討する。
「＜相違点１＞について」で説示したように、抽選結果を報知する特別図柄表示部よりさらに目立つ報知を行う修飾図柄表示部を遊技領域の中央部に設けることは周知であるところ、当該修飾図柄表示部の表示制御をサブ制御部（引用発明１でいえば図柄制御基板）に行わせること、そして、サブ制御部がメイン制御部から抽選結果ないしは特別図柄の情報を受信し、当該情報に基づいて修飾図柄表示部に停止表示する修飾図柄や図柄の変動態様等を適宜選択して、選択した変動表示態様および停止図柄になるように修飾図柄表示部を制御することは、上に同じく特開平９−１４０８７８号公報（特に、段落【００５６】〜【００５８】、【０１３７】〜【０１３８】、【０１８５】〜【０１９０】、【０２３１】〜【０２３３】、【０２４７】〜【０２４８】および図２、図３等参照のこと。）に記載されているように周知な技術であるから、相違点３に係る事項は当該周知技術に基づいて当業者が容易に想到し得たと認められる。
　また、修飾図柄の変動開始および変動停止に関して、上記特開平９−１４０８７８号公報の実施例では、役物用ＩＣ２１（メイン制御部）から表示制御回路４０（サブ制御部）へモードデータが送られたときに変動を開始している点では本件補正発明と相違しないが、変動停止に関しては、役物用ＩＣ２１から表示制御回路４０へ送信されたタイマー値に基づいて役物用ＩＣ２１と表示制御回路４０が独自に停止タイミングを合わせており、本件補正発明のように、メイン制御部からサブ制御部に変動停止指示を送り、この指示に基づいてサブ制御部が修飾図柄の変動を停止させていない。
　しかしながら、メイン制御部からサブ制御部へ変動時間（タイマー値）を送信することに加え、図柄の変動停止を指示する信号を送ることは、例えば特開２０００−１８９６３６号公報（特に、段落【００６６】、【００７３】〜【００７４】参照のこと。）や、特開２０００−２３７４１０号公報（特に、段落【００７５】、【００９６】参照のこと。）、特開２００１−１８７２０６号公報（特に、段落【０１７６】〜【０１８２】参照のこと。）等にあるように周知な技術である。
　これらのことからみて、相違点２に係る事項は周知技術であり、当業者が容易に想到できたといわざるを得ない。
　さらに、本件補正発明の作用効果等を勘案しても、本件補正発明に特段のものを認めることはできない。
　
　以上のように、本件補正発明は、引用発明１、引用発明２および周知技術に基づいて、当業者が容易に発明をすることができたものである。
　したがって、本件補正発明は、特許法第２９条第２項の規定により、その特許出願の際に独立して特許を受けることができない。
　
　（５）本件補正発明についてのまとめ
　本件補正は、平成１８年法律第５５号附則第３条第１項によりなお従前の例によるとされる同法による改正前の特許法第１７条の２第５項において準用する同法第１２６条第５項の規定に違反するものであるから、特許法第１５９条第１項の規定において読み替えて準用する同法第５３条第１項の規定により却下すべきものである。
　
　
３．本件発明について
　（１）本件発明及び引用文献に記載された発明
　平成２２年７月９日付けの手続補正は上記のとおり却下されたので、請求項に係る発明は、平成２１年７月３１日付け手続補正書により補正された特許請求の範囲に記載されたとおりのものである。
　そして、その請求項１により特定される発明は次のとおりである。
　
「【請求項１】
　発射された遊技球が左側から入球される遊技領域が形成された遊技盤と、
　前記遊技領域における遊技球の流路を左側流路と右側流路に分岐させるように配置された飾り部品と、
　抽選の結果を示すための図柄が変動表示される図柄表示領域と、
　前記遊技領域における前記飾り部品の下方に設けられた始動入賞口と、
　前記遊技領域における前記右側流路に設けられた第１の大入賞口と、
　前記遊技領域において少なくとも前記左側流路を流れる遊技球が入球可能な位置であって前記第１の大入賞口よりも左側に設けられた第２の大入賞口と、
　当該遊技機の全体的な動作および遊技の基本動作を主に制御するメイン制御部と、
　当該遊技機の演出的動作を主に制御するサブ制御部と、
　を備え、
　前記メイン制御部と前記サブ制御部との間の通信が、前記メイン制御部から前記サブ制御部への一方向通信となるように構成され、
　前記メイン制御部は、
　遊技球の前記始動入賞口への落入を示す始動入賞情報を取得する始動入賞処理部と、
　前記始動入賞情報の取得を契機として前記抽選を実行し、その抽選の結果が大当たり又は外れのいずれであるか、さらに大当たりである場合には次に大当たりとなる確率が通常よりも高い状態である確率変動状態へ移行する確率変動付き大当たり又は通常の大当たりのいずれであるかを判定するとともに、その抽選の結果を示す前記図柄の変動時間を決定する抽選実行部と、
　前記抽選の結果が大当たりであったときに前記第１の大入賞口または前記第２の大入賞口を選択的に開放する開閉制御部と、
　を含み、前記抽選実行部により決定された情報をサブ制御部に送り、
　前記サブ制御部は、
　前記メイン制御部から受信した前記抽選の結果に基づき、前記図柄の停止図柄として前記確率変動付き大当たりであることを示す停止図柄、前記通常の当たりであることを示す停止図柄、又は前記外れであることを示す停止図柄のいずれかを決定する図柄決定部と、
　前記抽選実行部により決定された変動時間を有するように、前記図柄の変動表示過程を示す表示パターンを決定するパターン決定部と、
　前記パターン決定部により決定された表示パターンにしたがって前記図柄を変動表示させるとともに、前記図柄決定部により決定された停止図柄を停止表示させる表示処理部と、
　を含み、
　前記開閉制御部は、前記確率変動付き大当たりである場合には、前記第１の大入賞口を開放することを特徴とする弾球遊技機。」
（この発明を「本件発明」という。）
　
　一方、原査定の拒絶の理由に引用された特開２００３−２４５４２０号公報に記載された発明（引用発明１）、および特開２００４−４７２号公報に記載された発明（引用発明２）は、前記「２．（２）」に記載したとおりである。
　
　（２）対比・判断
　本件補正発明は、前記「２．（１）」で述べたように、本件発明の構成要件を減縮し、あるいは明りょうでない記載を釈明したものである。
　そうすると、本件発明の構成要件を全て含み、さらに構成要件を減縮したものに相当する本件補正発明が、前記「２．（４）」に記載したとおり、引用発明１、引用発明２および周知技術に基づいて当業者が容易に発明をすることができたものであるから、本件発明も同様の理由により、当業者が容易に発明をすることができたものである。
　
　（３）むすび
　以上のとおり、本件発明は、引用発明１、引用発明２および周知技術に基づいて当業者が容易に発明をすることができたものであり、特許法第２９条第２項の規定により特許を受けることができない。
　したがって、本願は、他の請求項に係る発明について検討するまでもなく、拒絶されるべきものである。
　よって、結論の通り審決する。